【手続補正書】
【提出日】平成19年10月29日(2007.10.29)
【手続補正１】
【補正対象書類名】特許請求の範囲
【補正対象項目名】全文
【補正方法】変更
【補正の内容】
【特許請求の範囲】
【請求項１】
第１の基準信号を生成するためそして第２の基準信号を生成するために構成された同調可能なオシレータ；
該第１の基準信号を使用して第１のキャリアから第１の情報信号を再生するために構成された第１受信機；
該第２の基準信号を使用して第２のキャリアから第２の情報信号を再生するために構成された第２受信機、該第２受信機はアクティブ状態及びアイドル状態において動作するように構成される；及び
該情報信号中の周波数エラーを検出するため、該周波数エラーを減少させるために該オシレータを定期的に同調させるため、そして該周波数エラーが第１しきい値を越える場合に該オシレータの該チューニングをイネーブルし、そして一旦イネーブルされると、該周波数エラーが第２しきい値より下に減少されるまで該オシレータを同調し続けるように構成されたプロセッサを具備し、ここにおいて、該第１しきい値及び第２しきい値は、該第２受信機の該状態の関数（function）である
ことを特徴とする通信装置。
【請求項２】
該プロセッサは、該オシレータの該定期的なチューニングと同時に該周波数エラーを補償するために構成されたローテータをさらに具備することを特徴とする、請求項１の通信装置。
【請求項３】
該プロセッサは、捕捉状態及び同期された状態において動作するようにさらに構成され、該プロセッサは該捕捉状態の期間に該オシレータを同調させることなく該第１のキャリアを捕捉するために、そして該周波数エラーを減少させるためかつ該同期された状態の期間に該周波数エラーを補償するために該ローテータを使用するために該オシレータを定期的に同調させるようにさらに構成されることを特徴とする、請求項２の通信装置。
【請求項４】
該プロセッサは、該オシレータの該チューニングの期間に該第２受信機をディスエーブルするようにさらに構成されることを特徴とする、請求項１の通信装置。
【請求項５】
該プロセッサは、該周波数エラーに関係する信号を該第２受信機へ与えるためにさらに構成され、そしてここにおいて、該第２受信機は、該オシレータの該チューニングに引き続いて該第２キャリアを捕捉するために該周波数エラーに関係する該信号を使用するようにさらに構成されることを特徴とする、請求項４の通信装置。
【請求項６】
該第２受信機は、グローバル・ポジショニング衛星受信機を具備することを特徴とする、請求項１の通信装置。
【請求項７】
該プロセッサは、広帯域コード分割多元アクセス・プロセッサを具備することを特徴とする、請求項６の通信装置。
【請求項８】
該第１しきい値は、該第２しきい値より大きいことを特徴とする、請求項１の通信装置。
【請求項９】
該プロセッサは、特定の通信ネットワークにインターフェースするようにさらに構成され、そしてここにおいて、該第１しきい値及び第２しきい値は、該プロセッサがそこにインターフェースするように構成される該特定の通信ネットワークの関数であることを特徴とする、請求項１の通信装置。
【請求項１０】
該第２受信機は、グローバル・ポジショニング衛星受信機を具備し、該グローバル・ポジショニング衛星受信機はナビゲーション解を算出している時に該アクティブ状態であることを特徴とする、請求項１の通信装置。
【請求項１１】
第１の基準信号及び第２の基準信号を生成するために構成された同調可能なオシレータ；
該第１の基準信号を使用して第１のキャリアから第１の情報信号を再生するために構成された第１受信機；
該第２の基準信号を使用して第２のキャリアから第２の情報信号を再生するためそしてアクティブ状態及びアイドル状態において動作するように構成された第２受信機；及び
該第１の情報信号中の周波数エラーを検出するため、そして該周波数エラーが第１しきい値を越える場合に、該オシレータを同調させるために構成されたプロセッサを具備し、ここにおいて、該第１しきい値は、該第２受信機の該状態の関数であり、該プロセッサは該オシレータの該チューニングの期間に該第２の受信機をディスエーブルするようにさらに構成される、
ことを特徴とする通信装置。
【請求項１２】
該プロセッサは、一旦該周波数エラーが該第１しきい値を越えると該周波数エラーが第２しきい値より下に減少するまで該オシレータを同調するようにさらに構成されることを特徴とする、請求項１１の通信装置。
【請求項１３】
該第１しきい値は、該第２しきい値より大きいことを特徴とする、請求項１２の通信装置。
【請求項１４】
該プロセッサは、特定の通信ネットワークにインターフェースするようにさらに構成され、そしてここにおいて、該第１しきい値は、該プロセッサがそこにインターフェースするように構成された該特定の通信ネットワークの関数であることを特徴とする、請求項１１の通信装置。
【請求項１５】
該プロセッサは、該第２受信機へ該周波数エラーに関係する信号を供給するためにさらに構成され、そしてここにおいて、該第２受信機は、該オシレータの該チューニングに引き続いて該第２のキャリアを捕捉するために該周波数エラーに関係する該信号を使用するようにさらに構成されることを特徴とする、請求項１１の通信装置。
【請求項１６】
該第２受信機は、グローバル・ポジショニング衛星受信機を具備することを特徴とする、請求項１１の通信装置。
【請求項１７】
該プロセッサは、広帯域コード分割多元アクセス・プロセッサを具備することを特徴とする、請求項１６の通信装置。
【請求項１８】
該第２受信機は、グローバル・ポジショニング衛星受信機を具備し、該グローバル・ポジショニング衛星受信機は、ナビゲーション解を算出している時に該アクティブ状態であることを特徴とする、請求項１１の通信装置。
【請求項１９】
第１の基準信号を使用して第１のキャリアから第１の情報信号を再生すること；
グローバル・ポジショニング衛星システムからの第２の情報信号からナビゲーション解を定期的に算出すること、該第２の情報信号は第２の基準信号を使用して第２のキャリアから再生される；
該第１の情報信号中の周波数エラーを検出すること；及び
該周波数エラーを減少させるために該第１の基準信号を定期的に同調させること、そして該周波数エラーが第１しきい値を越える時に該第１の基準信号の該チューニングをイネールすること、そして一旦イネーブルされると、該周波数エラーが第２しきい値より下に減少するまで該第１の基準信号を同調させ続けること、該第１の基準信号及び該第２の基準信号は共通オシレータから発生され、そしてここにおいて、該第１しきい値及び第２しきい値は、該計算の解が算出されるかどうかの関数である、
ことを具備することを特徴とする、通信の方法。
【請求項２０】
該第１の基準信号の該定期的なチューニングと同時に該周波数エラーを補償するために該第１の情報信号をローテートすることをさらに具備することを特徴とする、請求項１９の方法。
【請求項２１】
該第１の基準信号を同調させることなく該第１のキャリアを捕捉することをさらに具備し、そしてここにおいて、該第１の情報信号の該ローテーションとともに該第１の基準信号の該定期的なチューニングは、該第１のキャリアの捕捉に引き続いて実行されることを特徴とする、請求項２０の方法。
【請求項２２】
該第１の基準信号の該チューニングの期間に該第２の情報信号の再生をディスエーブルすることをさらに具備し、該第１の基準信号及び該第２の基準信号は共通オシレータから発生されることを特徴とする、請求項１９の方法。
【請求項２３】
該周波数エラーに関係する信号を発生すること、及び該第１の基準信号の該チューニングに引き続いて該第２のキャリアを捕捉するために該信号を使用することをさらに具備することを特徴とする、請求項２２の方法。
【請求項２４】
該第２の情報信号を有する該第２のキャリアは、グローバル・ポジショニング衛星システムからであることを特徴とする、請求項２２の方法。
【請求項２５】
該第１の情報信号を有する該第１のキャリアは、広帯域コード分割多元アクセス・ネットワークを具備することを特徴とする、請求項２４の方法。
【請求項２６】
該第１しきい値は、該第２しきい値より大きいことを特徴とする、請求項１９の方法。
【請求項２７】
特定の通信ネットワークから該第１の情報信号を有する該第１のキャリアを受信することをさらに具備し、そしてここにおいて、該第１しきい値及び第２しきい値は、該第１のキャリアがそこから受信される該特定の通信ネットワークの関数であることを特徴とする、請求項１９の方法。
【手続補正２】
【補正対象書類名】明細書
【補正対象項目名】００３８
【補正方法】変更
【補正の内容】
【００３８】
開示された複数の実施形態のこれまでの説明は、本技術に知識のあるいかなる者でも、本発明を作成し、使用することを可能にするために提供される。これらの実施形態への各種の変形は、当業者に容易に明白にされるであろう。そして、ここで規定された一般的な原理は、本発明の精神又は範囲から逸脱することなく、その他の実施形態に適用されることができる。それゆえ、本発明は、本明細書中に示された実施形態に制限することを意図したものではなく、本明細書中に開示した原理及び新規な機能に整合する最も広い範囲に適用されるものである。
以下に、本願発明の種々の観点に基づく発明を付記する。
［１］通信装置であって、該装置は下記を具備する：
基準信号を生成するために構成された同調可能なオシレータ；
該基準信号を使用してキャリアから情報信号を再生するために構成された受信機；及び
該情報信号中の周波数エラーを検出するため、そして該周波数エラーを減少させるために該オシレータを定期的に同調させるために構成されたプロセッサ。
［２］プロセッサは、オシレータの定期的なチューニングと同時に周波数エラーを補償するために構成されたローテータをさらに具備する［１］の通信装置。
［３］プロセッサは、捕捉状態及び同期された状態において動作するようにさらに構成され、該プロセッサは該捕捉状態の期間にオシレータを同調させることなしにキャリアを捕捉するため、そして周波数エラーを減少させるためかつ該同期された状態の期間に該周波数エラーを補償するためにローテータを使用するために該オシレータを定期的に同調させるために、さらに構成される［２］の通信装置。
［４］同調可能なオシレータは、第２基準信号を生成するためにさらに構成され、該通信装置は、該第２基準信号を使用して第２キャリアから第２情報信号を再生するために構成された第２受信機をさらに具備し、プロセッサは、該オシレータのチューニングの期間に該第２受信機をディスエーブルするためにさらに構成される［１］の通信装置。
［５］プロセッサは、第２受信機へ周波数エラーに関係する信号を供給するためにさらに構成され、そしてここにおいて、該第２受信機は、オシレータのチューニングに引き続いて第２キャリアを捕捉するために該周波数エラーに関係する信号を使用するためにさらに構成される［４］の通信装置。
［６］第２受信機は、グローバル・ポジショニング衛星受信機を具備する［４］の通信装置。
［７］プロセッサは、広帯域コード分割多元アクセス・プロセッサを具備する［６］の通信装置。
［８］周波数エラーが第１しきい値を越える場合に、プロセッサは、オシレータのチューニングをイネーブルするためにさらに構成され、そして一旦イネーブルされると、該周波数エラーが第２しきい値より下に減少されるまで該オシレータを同調し続ける［１］の通信装置。
［９］第１しきい値は、第２しきい値より大きい［８］の通信装置。
［１０］プロセッサは、特定の通信ネットワークにインターフェースするためにさらに構成され、そしてここにおいて、第１しきい値及び第２しきい値は、そこに該プロセッサがインターフェースするために構成される該特定の通信ネットワークの関数（function）である［８］の通信装置。
［１１］同調可能なオシレータは、第２基準信号を生成するためにさらに構成され、該通信装置は、該第２基準信号を使用して第２キャリアから第２情報信号を再生するために構成された第２受信機をさらに具備し、該第２受信機は、アクティブ状態及びアイドル状態において動作するように構成され、そしてここにおいて、第１しきい値及び第２しきい値は、該第２受信機の状態の関数である［８］の通信装置。
［１２］第２受信機は、グローバル・ポジショニング衛星受信機を具備し、該グローバル・ポジショニング衛星受信機は、ナビゲーション解を算出している時にアクティブ状態である［１１］の通信装置。
［１３］通信装置であって、該装置は下記を具備する：
基準信号を生成するために構成された同調可能なオシレータ；
該基準信号を使用してキャリアから情報信号を再生するために構成された受信機；及び
該情報信号中の周波数エラーを検出するため、そして該周波数エラーがしきい値を越える場合に該オシレータを同調させるために構成されたプロセッサ。
［１４］プロセッサは、一旦周波数エラーがしきい値を越えると周波数エラーが第２しきい値より下に減少されるまでオシレータを同調するためにさらに構成される［１３］の通信装置。
［１５］しきい値は、第２しきい値より大きい［１４］の通信装置。
［１６］プロセッサは、特定の通信ネットワークにインターフェースするためにさらに構成され、そしてここにおいて、しきい値は、そこに該プロセッサがインターフェースするために構成された該特定の通信ネットワークの関数である［１３］の通信装置。
［１７］同調可能なオシレータは、第２基準信号を生成するためにさらに構成され、該通信装置は、該第２基準信号を使用して第２キャリアから第２情報信号を再生するために構成された第２受信機をさらに具備し、プロセッサは、該オシレータのチューニングの期間に第２受信機をディスエーブルするためにさらに構成される［１３］の通信装置。
［１８］プロセッサは、第２受信機へ周波数エラーに関係する信号を供給するためにさらに構成され、そしてここにおいて、該第２受信機は、オシレータのチューニングに引き続いて第２キャリアを捕捉するために該周波数エラーに関係する信号を使用するためにさらに構成される［１７］の通信装置。
［１９］第２受信機は、グローバル・ポジショニング衛星受信機を具備する［１７］の通信装置。
［２０］プロセッサは、広帯域コード分割多元アクセス・プロセッサを具備する［１９］の通信装置。
［２１］第２受信機は、アクティブ状態及びアイドル状態において動作するように構成され、そしてここにおいて、しきい値は、該第２受信機の状態の関数である［１７］の通信装置。
［２２］第２受信機は、グローバル・ポジショニング衛星受信機を具備し、該グローバル・ポジショニング衛星受信機は、ナビゲーション解を算出している時にアクティブ状態である［２１］の通信装置。
［２３］通信の方法であって、該方法は下記を具備する：
基準信号を使用してキャリアから情報信号を再生すること；
該情報信号中の周波数エラーを検出すること；及び
該周波数エラーを減少させるためにオシレータを定期的に同調させること。
［２４］基準信号の定期的なチューニングと同時に周波数エラーを補償するための情報信号をローテーティングすることをさらに具備する［２３］の方法。
［２５］基準信号を同調させることなくキャリアを捕捉することをさらに具備し、そしてここにおいて、情報信号のローテーションとともに該基準信号の定期的なチューニングは、該キャリア捕捉に引き続いて実行される［２４］の方法。
［２６］基準信号のチューニングの期間に第２基準信号を使用して第２キャリアからの第２情報信号の再生をディスエーブリングすることをさらに具備し、該基準信号及び第２基準信号は、共通オシレータから発生される［２３］の方法。
［２７］周波数エラーに関係する信号を発生すること、及び基準信号のチューニングに引き続いて第２キャリアを捕捉するために該信号を使用することをさらに具備する［２６］の方法。
［２８］第２情報信号を有する第２キャリアは、グローバル・ポジショニング衛星システムからである［２６］の方法。
［２９］情報信号を有するキャリアは、広帯域コード分割多元アクセス・ネットワークを具備する［２８］の方法。
［３０］基準信号の定期的なチューニングは、周波数エラーが第１しきい値を越える時に該基準信号のチューニングをイネーブリングすること、そして一旦イネーブルされると、該周波数エラーが第２しきい値より下に減少されるまで該基準信号を同調し続けることを具備する［２３］の方法。
［３１］第１しきい値は、第２しきい値より大きい［３０］の方法。
［３２］特定の通信ネットワークから情報信号を有するキャリアを受信することをさらに具備し、そしてここにおいて、第１しきい値及び第２しきい値は、そこから該キャリアが受信される該特定の通信ネットワークの関数である［３０］の方法。
［３３］グローバル・ポジショニング衛星システムからの第２情報信号からナビゲーション解を定期的に算出することをさらに具備し、該第２情報信号は、第２基準信号を使用して第２キャリアから再生され、そして該基準信号及び第２基準信号は、共通オシレータから発生され、そしてここにおいて、第１しきい値及び第２しきい値は、計算の解が算出されるかどうかの関数である［３０］の方法。
［３４］通信装置であって、該装置は下記を具備する：
基準信号を生成するための手段；
該基準信号を使用してキャリアから情報信号を再生するための手段；
該情報信号中の周波数エラーを検出するための手段；及び
該周波数エラーを減少させるために該基準信号を定期的に同調させるための手段。
［３５］周波数エラーが第１しきい値を越える場合に、基準信号を定期的に同調させるための手段は、該基準信号のチューニングをイネーブルするために構成され、そして一旦イネーブルされると、該周波数エラーが第２しきい値より下に減少されるまで該基準信号を同調し続ける［３４］の通信装置。
［３６］第２基準信号を生成するための手段、該第２基準信号を使用して第２キャリアから第２情報信号を再生するための手段、及び基準信号のチューニングの期間に該第２情報信号の再生をディスエーブルするための手段、該基準信号を発生させるための手段及び該第２基準信号を発生するための手段は共通オシレータをそれぞれが具備することを、さらに具備する［３４］の通信装置。